【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
ユーザ機器(UE)によって実施されるワイヤレス通信の方法であって、
前記UEのキャリアアグリゲーション(CA)構成および非周期サウンディング基準信号(A-SRS)構成を識別するステップであって、前記CA構成は、前記UEがアップリンク(UL)データ送信をその上で実施するように構成された1つまたは複数のコンポーネントキャリア(CC)を備え、前記A-SRS構成は、前記UEがその上でA-SRSを送信するがULデータ送信を実施しないように構成された1つまたは複数のCCを備える、ステップと、
前記CA構成におけるダウンリンク(DL)CC上でリソース割当てを受信するステップであって、前記リソース割当てはサウンディング基準信号無線ネットワーク一時識別子(SRS-RNTI)を含む、ステップと、
前記SRS-RNTIに部分的に基づいてトリガを検出するステップであって、前記SRS-RNTIは、前記A-SRS構成の複数のULリソース中での複数のA-SRS送信をトリガする、ステップと、
前記リソース割当てのダウンリンク制御情報(DCI)に少なくとも部分的に基づいて、1つまたは複数のA-SRS送信を送信するための前記A-SRS構成の前記1つまたは複数のCCのうちの少なくとも1つのCCを決定するステップと、
前記A-SRS構成の前記1つまたは複数のCCのうちの決定された少なくとも1つのCC上で、前記1つまたは複数のA-SRS送信を送信するステップとを含む方法。
【請求項２】
前記A-SRS構成の前記CCのうちの1つまたは複数は、1つまたは複数の補助UL CCを備え、前記1つまたは複数の補助UL CCは、UL基準信号送信用に構成され、ULデータ送信用には構成されない、請求項1に記載の方法。
【請求項３】
前記リソース割当てを受信するステップは、
A-SRS送信機電力制御(TPC)コマンドを示す、前記DCIのフィールド中の電力制御情報を識別するステップを含み、前記1つまたは複数のA-SRS送信は、前記電力制御情報に少なくとも部分的に基づく送信電力を使用して送信される、請求項2に記載の方法。
【請求項４】
前記DCIに従って構成された前記リソース割当ての複数のビットに少なくとも部分的に基づいて、前記A-SRS構成の前記1つまたは複数のCCのうちの前記少なくとも1つのCCを識別するステップをさらに含む、請求項1に記載の方法。
【請求項５】
前記1つまたは複数のA-SRS送信と同時に送信されるべき追加アップリンク送信を識別するステップと、
優先順位付けに少なくとも部分的に基づいて、前記追加アップリンク送信あるいは前記1つまたは複数のA-SRS送信、それとも両方を送信するかを決定するステップとをさらに含む、請求項1に記載の方法。
【請求項６】
前記1つまたは複数のA-SRS送信を送信するステップは、前記優先順位付けに従って前記1つまたは複数のA-SRS送信を送信すると決定したことに少なくとも部分的に基づく、請求項5に記載の方法。
【請求項７】
前記1つまたは複数のA-SRS送信と同時に送信されるべき追加アップリンク送信を識別するステップと、
前記追加アップリンク送信ではなく、前記1つまたは複数のA-SRS送信を送信するステップであって、前記追加アップリンク送信は、前記CA構成の1つまたは複数のコンポーネントキャリア上での物理アップリンク共有チャネル(PUSCH)送信を含む、ステップとをさらに含む、請求項1に記載の方法。
【請求項８】
前記CA構成のDLキャリアと、前記A-SRS構成の前記1つまたは複数のCCのうちの1つは、周波数リソースを共有する、請求項1に記載の方法。
【請求項９】
基地局によって実施されるワイヤレス通信の方法であって、
1つまたは複数のユーザ機器(UE)のキャリアアグリゲーション(CA)構成および非周期サウンディング基準信号(A-SRS)構成を識別するステップであって、前記CA構成は、前記1つまたは複数のUEがアップリンク(UL)データ送信をその上で実施するように構成された1つまたは複数のコンポーネントキャリア(CC)を備え、前記A-SRS構成は、前記1つまたは複数のUEがその上でA-SRSを送信するがULデータ送信を実施しないように構成された1つまたは複数のCCを備える、ステップと、
前記CA構成におけるダウンリンク(DL)CC上でリソース割当てを送信するステップであって、前記リソース割当てはサウンディング基準信号無線ネットワーク一時識別子(SRS-RNTI)を含み、前記SRS-RNTIは、前記A-SRS構成の複数のULリソース中での複数のA-SRS送信をトリガし、1つまたは複数のA-SRS送信を送信するための前記A-SRS構成の前記1つまたは複数のCCのうちの少なくとも1つのCCは、前記リソース割当てのダウンリンク制御情報(DCI)に少なくとも部分的に基づいて識別される、ステップと、
前記DCIによって識別されるCC上で、前記1つまたは複数のUEからA-SRS送信を受信するステップとを含む方法。
【請求項１０】
前記A-SRS構成の前記1つまたは複数のCCは、1つまたは複数の補助UL CCを備え、前記1つまたは複数の補助UL CCは、UL基準信号送信用に構成され、ULデータ送信用には構成されない、請求項9に記載の方法。
【請求項１１】
前記A-SRS構成の前記1つまたは複数のCCのうちの前記少なくとも1つのCCは、前記DCIに従って構成された前記リソース割当ての複数のビットに少なくとも部分的に基づいて識別される、請求項9に記載の方法。
【請求項１２】
A-SRS送信機電力制御(TPC)コマンドを示す電力制御情報を前記DCIのフィールド中で送信するステップをさらに含む、請求項10に記載の方法。
【請求項１３】
前記CA構成のDLキャリアと、前記A-SRS構成の前記1つまたは複数のCCのうちの1つは、周波数リソースを共有する、請求項9に記載の方法。
【請求項１４】
ワイヤレス通信のためのモバイルデバイスであって、
プロセッサと、
前記プロセッサと電子通信するメモリと、
前記メモリに記憶された命令とを備え、前記命令は、前記プロセッサに実行されると、
UEのキャリアアグリゲーション(CA)構成および非周期サウンディング基準信号(A-SRS)構成を識別することであって、前記CA構成は、前記UEがアップリンク(UL)データ送信をその上で実施するように構成された1つまたは複数のコンポーネントキャリア(CC)を備え、前記A-SRS構成は、前記UEがその上でA-SRSを送信するがULデータ送信を実施しないように構成された1つまたは複数のCCを備える、ことと、
前記CA構成におけるダウンリンク(DL)CC上でリソース割当てを受信することであって、前記リソース割当てはサウンディング基準信号無線ネットワーク一時識別子(SRS-RNTI)を含む、ことと、
前記SRS-RNTIに部分的に基づいてトリガを検出することであって、前記SRS-RNTIは、前記A-SRS構成の複数のULリソース中での複数のA-SRS送信をトリガする、ことと、
前記リソース割当てのダウンリンク制御情報(DCI)に少なくとも部分的に基づいて、1つまたは複数のA-SRS送信を送信するための前記A-SRS構成の前記1つまたは複数のCCのうちの少なくとも1つのCCを決定することと、
前記A-SRS構成の前記1つまたは複数のCCのうちの前記決定された少なくとも1つのCC上で、前記1つまたは複数のA-SRS送信を送信することと
を前記モバイルデバイスに行わせるように動作可能である、モバイルデバイス。
【請求項１５】
前記A-SRS構成の前記CCのうちの1つまたは複数は、1つまたは複数の補助UL CCを備え、前記1つまたは複数の補助UL CCは、UL基準信号送信用に構成され、ULデータ送信用には構成されない、請求項14に記載のモバイルデバイス。
【請求項１６】
前記命令は、前記プロセッサによって実行可能であり、前記モバイルデバイスに、
A-SRS送信機電力制御(TPC)コマンドを示す、前記DCIのフィールド中の電力制御情報を識別することと、
前記電力制御情報に少なくとも部分的に基づく送信電力を使用して、前記1つまたは複数のA-SRS送信を送信することと
を行わせる、請求項15に記載のモバイルデバイス。
【請求項１７】
前記命令は、前記プロセッサによって実行可能であり、前記モバイルデバイスに、
前記DCIに従って構成された前記リソース割当ての複数のビットに少なくとも部分的に基づいて、前記A-SRS構成の前記1つまたは複数のCCのうちの前記少なくとも1つのCCを識別させる、請求項14に記載のモバイルデバイス。
【請求項１８】
前記命令は、前記プロセッサによって実行可能であり、前記モバイルデバイスに、
前記1つまたは複数のA-SRS送信と同時に送信されるべき追加アップリンク送信を識別させ、
優先順位付けに少なくとも部分的に基づいて、前記追加アップリンク送信あるいは前記1つまたは複数のA-SRS送信、それとも両方を送信するかを決定させる、請求項14に記載のモバイルデバイス。
【請求項１９】
前記命令は、前記プロセッサによって実行可能であり、前記モバイルデバイスに、
前記優先順位付けに従って前記1つまたは複数のA-SRS送信を送信すると決定したことに少なくとも部分的に基づいて前記1つまたは複数のA-SRS送信を送信させる、請求項18に記載のモバイルデバイス。
【請求項２０】
前記命令は、前記プロセッサによって実行可能であり、前記モバイルデバイスに、
前記1つまたは複数のA-SRS送信と同時に送信されるべき追加アップリンク送信を識別させ、前記追加アップリンク送信ではなく、前記1つまたは複数のA-SRS送信を送信させ、前記追加アップリンク送信は、前記CA構成の1つまたは複数のコンポーネントキャリア上での物理アップリンク共有チャネル(PUSCH)送信を含む、請求項14に記載のモバイルデバイス。
【請求項２１】
前記CA構成のDLキャリアと、前記A-SRS構成の前記1つまたは複数のCCのうちの1つは、周波数リソースを共有する、請求項14に記載のモバイルデバイス。
【請求項２２】
ワイヤレス通信のためのネットワークデバイスであって、
プロセッサと、
前記プロセッサと電子通信するメモリと、
前記メモリに記憶された命令とを備え、前記命令は、前記プロセッサに実行されると、
1つまたは複数のユーザ機器(UE)のキャリアアグリゲーション(CA)構成および非周期サウンディング基準信号(A-SRS)構成を識別することであって、前記CA構成は、前記1つまたは複数のUEがアップリンク(UL)データ送信をその上で実施するように構成された1つまたは複数のコンポーネントキャリア(CC)を備え、前記A-SRS構成は、前記1つまたは複数のUEがその上でA-SRSを送信するがULデータ送信を実施しないように構成された1つまたは複数のCCを備える、ことと、
前記CA構成におけるダウンリンクCC上でリソース割当てを送信することであって、前記リソース割当てはサウンディング基準信号無線ネットワーク一時識別子(SRS-RNTI)を含み、前記SRS-RNTIは、前記A-SRS構成の複数のULリソース中での複数のA-SRS送信をトリガし、1つまたは複数のA-SRS送信を送信するための前記A-SRS構成の前記1つまたは複数のCCのうちの少なくとも1つのCCは、前記リソース割当てのダウンリンク制御情報(DCI)に少なくとも部分的に基づいて識別される、ことと、
前記DCIによって識別されるCC上で、前記1つまたは複数のUEからA-SRS送信を受信することと、
を前記ネットワークデバイスに行わせるように動作可能である、ネットワークデバイス。
【請求項２３】
前記A-SRS構成の前記1つまたは複数のCCは、1つまたは複数の補助UL CCを備え、前記1つまたは複数の補助UL CCは、UL基準信号送信用に構成され、ULデータ送信用には構成されない、請求項22に記載のネットワークデバイス。
【請求項２４】
前記命令は、前記プロセッサによって実行可能であり、前記ネットワークデバイスに、
A-SRS送信機電力制御(TPC)コマンドを示す電力制御情報を前記DCIのフィールド中で送信させる、請求項23に記載のネットワークデバイス。
【請求項２５】
前記A-SRS構成の前記1つまたは複数のCCのうちの前記少なくとも1つのCCは、前記DCIに従って構成された前記リソース割当ての複数のビットに少なくとも部分的に基づいて識別される、請求項22に記載のネットワークデバイス。
【請求項２６】
前記CA構成のDLキャリアと、前記A-SRS構成の前記1つまたは複数のCCのうちの1つは、周波数リソースを共有する、請求項22に記載のネットワークデバイス。